(57)【要約】【課題】簡単な構成で雑音を低減させることのできる安価で小型な無電極放電灯点灯装置を提供する。【解決手段】ＬＣ共振回路１９内にて高周波を印加される端子部３ａ，３ｂに接続される第１のキャパシタンス素子６を有する無電極放電灯点灯装置であって、誘導コイル２の端子部２ａにつながる導電体４と前記端子部３ａとの間に第２のキャパシタンス素子７を挿入し、誘導コイル２の端子部２ｂにつながる第２の導電体５と前記端子部３ｂとの間に第３のキャパシタンス素子８を挿入し、第２および第３のキャパシタンス素子７，８の容量値は略等しく、第１の導電体４と前記第２の導電体５の周囲の絶縁体４ａ，５ａの厚さは略等しく、第１の導電体４と第２の導電体５の間の距離を略一定に保つ保持手段を有する構成とした。【選択図】図１
2005122990.tif 000002
【特許請求の範囲】
【請求項１】
無電極放電ランプ近傍に巻回され第１および第２の端子部を有する誘導コイルと、高周波でスイッチングされる少なくとも２つのスイッチング素子の直列回路と、前記スイッチング素子の接続点に接続され第３および第４の端子部を有するＬＣ共振回路と、前記第１および第３の端子部に接続され周囲を絶縁体で包囲された第１の導電体と、前記第２および第４の端子部に接続され周囲を絶縁体で包囲された第２の導電体と、前記ＬＣ共振回路内にて前記第３および第４の端子部に接続される第１のキャパシタンス素子とを有する無電極放電灯点灯装置であって、前記第１の導電体と前記第３の端子部との間に第２のキャパシタンス素子を挿入し、前記第２の導電体と前記第４の端子部との間に第３のキャパシタンス素子を挿入し、前記第２および第３のキャパシタンス素子の容量値は略等しく、前記第１の導電体と前記第２の導電体の周囲の絶縁体の厚さは略等しく、前記第１の導電体と前記第２の導電体の間の距離を略一定に保つ保持手段を有していることを特徴とする無電極放電灯点灯装置。
【請求項２】
前記第１の導電体と前記第２の導電体は、２重らせん状の位置関係を有することを特徴とする請求項１記載の無電極放電灯点灯装置。
【請求項３】
前記第１および第２の導電体の周囲の絶縁体を包囲する第３の導電体を設け、前記第３の導電体は前記直列回路の安定電位へキャパシタンス素子を介して接続されたことを特徴とする請求項１又は２に記載の無電極放電灯点灯装置。
【請求項４】
前記誘導コイルに巻回された放熱体を設け、前記放熱体は前記直列回路の安定電位へキャパシタンス素子を介して接続されたことを特徴とする請求項１〜３のいずれかに記載の無電極放電灯点灯装置。
【請求項５】
前記放熱体は、前記第３の導電体に接続されたことを特徴とする請求項４に記載の無電極放電灯点灯装置。
【請求項６】
高周波でスイッチングされる他の２つのスイッチング素子の直列回路を備え、このスイッチング素子の接続点にインダクタンス素子を介して前記第４の端子部を接続したことを特徴とする請求項１〜５のいずれかに記載の無電極放電灯点灯装置。
【請求項７】
前記第１の導電体と第２のキャパシタンス素子との接続点と、前記第２の導電体と第３のキャパシタンス素子との接続点との間に、第４のキャパシタンス素子を設けたことを特徴とする請求項１〜６のいずれかに記載の無電極放電灯点灯装置。
【請求項８】
前記第１または第４のキャパシタンス素子の容量値が、前記第１の導電体と前記第２の導電体間の１ｍあたりの容量値の２０倍以上であることを特徴とする請求項１〜７のいずれかに記載の無電極放電灯点灯装置。
【請求項９】
前記第１の導電体と第２のキャパシタンス素子との接続点に、直流電圧印加手段を設けるとともに、前記第２の導電体と第３のキャパシタンス素子との接続点に直流電圧検出手段を設け、前記直流電圧検出手段の出力に応じて前記第３および第４の端子部へ印加する電圧を停止する出力停止手段を設けたことを特徴とする請求項１〜８のいずれかに記載の無電極放電灯点灯装置。
【請求項１０】
請求項１〜９のいずれかに記載の無電極放電灯点灯装置を備えることを特徴とする照明装置。
【発明の詳細な説明】
【技術分野】
【０００１】
本発明は、内部に放電ガスを封入したバルブに高周波電磁界を印加して発光させる無電極放電灯点灯装置及びこれを用いた照明装置に関するものである。
【背景技術】
【０００２】
従来の無電極放電灯点灯装置の例として、例えば図１２および図１３に示すような特表平１１−５１０６４６号公報（特許文献１）に開示されているものがある。本従来例は、誘導コイル２を無電極放電ランプ１の空洞１１１内に収容し、この誘導コイルには放熱体１２の回りに巻回した第１及び第２巻回体１２１及び１２２を設ける。誘導コイル２の第１巻回体１２１をケーブル１３０の第１及び第２導電体１３１及び１３２に接続する。第２導電体１３２は、第１絶縁シース１３４により第２導電体から電気的に絶縁されている第１導電体１３１を取り巻く。第２巻回体１２２の第１端部１２２ａを第２導電体１３２にも接続し、またこの第２巻回体の第２端１２２ｂは自由端とする。電源ユニット１０５を設け、第１及び第２導電体１３１及び１３２を電源ユニット１０５の各々第１及び第２出力端子１５１及び１５２に接続する。電源ユニット１０５は幹線の極Ｐ及びＮに接続するための入力端子１５３及び１５４をも有する。電源ユニット１０５の作動中には、出力端子１５１及び１５２の間に高周波数の電位差が生じ、第２出力端子１５２は大地Ｍに対して高周波数電圧の変動はない。なお、無電極放電ランプ１は、内部に少なくとも水銀及び希ガスを含む放電ガスが封入されており、その内面には蛍光体１ａが塗布されている。
【０００３】
放熱体１２を第２導電体１３２に容量結合する。放熱体１２と第２導電体１３２との間の容量結合は、図１３に示すように、放熱体１２を第１及び第２導電体１３１及び１３２から電気的に絶縁され、ケーブル３の一部分を形成し、第２導電体１３２を取り巻く第３の導電体１３３に接続することにより行なう。ケーブル１３０は第２及び第３導電体１３２及び１３３の間の第２絶縁シース１３５を有する。第３絶縁シース１３６により包囲される第３導電体１３３を、端部１３３’で大地Ｍに接地する。これにより、一方では第２導電体１３２と放熱体１２との容量結合により、他方では誘導コイル２と第２導電体１３２との間の容量結合により、誘導コイル３と第２導電体１３２との間に寄生電流が生じ、これにより誘導コイル表面にわたって平均的な電圧の高周波変動の程度が抑制されると考えられ、これにより、無電極放電灯点灯装置によって生じる電界の強度を低減させることができる。
【０００４】
なお、電源ユニット１０５の具体的構成例については、例えば、直流電源に２つのスイッチング素子の直列回路を接続し、２つのスイッチング素子を交互にオン・オフさせることで、スイッチング素子の接続点に高周波電圧を発生させ、このスイッチング素子の接続点にＬＣ共振回路を接続することにより略正弦波状の高周波電圧を発生せしめてケーブルを介して無電極放電ランプの誘導コイルに給電するようにした高周波電源回路が特許文献２に開示されている。
【特許文献１】特表平１１−５１０６４６号公報
【特許文献２】特開平９−４５４８８号公報
【発明の開示】
【発明が解決しようとする課題】
【０００５】
前記従来の無電極放電灯点灯装置においては、誘導コイル表面にわたる平均的な電圧の高周波変動の程度を抑制するために、誘導コイルに自由端を設けた第２巻回体を設ける必要がある。第２巻回体は、電源ユニットによって生じた高周波の電流を流し無電極放電ランプを発光させる高周波電磁界を発生させることはない。すなわち、第２巻回体は無電極放電ランプを発光させる無電極放電灯点灯装置の本来の目的のためではなく、発生する電圧を低減し雑音を低下させるために存存する。
【０００６】
しかし、第２巻回体はその目的から第１の巻回体の近傍に配置される必要がある。すなわち、無電極放電ランプの空洞１１１内に配置される。無電極放電ランプの空洞１１１は、無電極ランプ内部に発生したプラズマの熱を受け高温に達する。われわれの検討においては２００℃程度にも上昇することが分かった。このような熱に耐えられる第２巻回体は高価なものとなる。
【０００７】
また、このような熱を空洞外に放熱するために放熱体を空洞部に設ける必要があるが、空洞内には、放熱体・誘導コイルのほかに磁束を発生させる磁性体が必要となることもあり、それぞれの占める体積は大きなものになる。また、空洞内の容積を大きくすると、無電極放電ランプ内のプラズマの放電体積および放電路が変化し、発光効率が低下するという問題がある。すなわち、無電極放電灯点灯装置において、空洞内には無電極放電ランプの発光に直接関係の無い第２巻回体を配設することなく雑音を低下させる手段が望ましい。
【０００８】
また、雑音低減のために、第２巻回体は第１巻回体と密接な結合を持つことが望まれる。このために、第１巻回体と第２巻回体とを交互に巻回すると、無電極放電ランプを発光させる高周波電磁界を発生させる第１巻回体の巻回間隔が疎になり、プラズマとの結合が低下し、無電極放電灯点灯装置の発光効率を低下させる。
【０００９】
さらに、無電極放電灯点灯装置において高い発光効率を得るために、前記誘導コイルおよび電源ユニットの損失はできるだけ小さいことが望まれる。このため、前記誘導コイルおよび電源ユニットの高周波電流が流れる系のＱ値が大きくなる。これは、無電極放電ランプの点灯時より点弧させる始動時において顕著である。系のＱ値が大きいため、リアクタンス素子の値のばらつきに対して、電源ユニットの特性は一般のインバータ回路より大きく変化する。本従来例の構成のように、誘導コイル内に第２巻回体を設ける手段を採ると、誘導コイルのインダクタンス値のばらつきを大きくする原因になり、これにより、電源ユニットの特性および無電極放電灯点灯装置の特性が大きく変動することになる。
【００１０】
また、誘導コイルの端子間には電源ユニットの出力電位が印加されるが、本従来例においては、導電体２の高周波電位は放熱体の電位と略同一になるように構成されているので、ケーブルの第１の導電体と接続される側の誘導コイルには、放熱体との間に前記出力電位が印加される。この出力電位は、無電極放電ランプの始動時には高い電圧となり、このため、前記誘導コイルと前記放熱体との間には高い絶縁耐圧を有する必要が生じ、これは、コストの増加および空洞内体積の減少につながる。
【００１１】
本発明は、上記の課題に鑑みてなされたものであり、その目的とするところは、簡単な構成で、雑音を低減させることのできる、安価で小型な無電極放電灯点灯装置を提供することにある。
【課題を解決するための手段】
【００１２】
本発明の無電極放電灯点灯装置は、上記の課題を解決するために、図１に示すように、無電極放電ランプ１の近傍に巻回され第１および第２の端子部２ａ，２ｂを有する誘導コイル２と、高周波でスイッチングされる少なくとも２つのスイッチング素子１３ａ，１３ｂの直列回路１３と、前記スイッチング素子１３ａ，１３ｂの接続点に接続され第３および第４の端子部３ａ，３ｂを有するＬＣ共振回路１９と、前記第１および第３の端子部２ａ，３ａに接続され周囲を絶縁体４ａで包囲された第１の導電体４と、前記第２および第４の端子部２ｂ，３ｂに接続され周囲を絶縁体５ａで包囲された第２の導電体５と、前記ＬＣ共振回路１９内にて前記第３および第４の端子部３ａ，３ｂに接続される第１のキャパシタンス素子６とを有する無電極放電灯点灯装置であって、前記第１の導電体４と前記第３の端子部３ａとの間に第２のキャパシタンス素子７を挿入し、前記第２の導電体５と前記第４の端子部３ｂとの間に第３のキャパシタンス素子８を挿入し、前記第２および第３のキャパシタンス素子７，８の容量値は略等しく、前記第１の導電体４と前記第２の導電体５の周囲の絶縁体４ａ，５ａの厚さは略等しく、図２、図３などに示すように、前記第１の導電体４と前記第２の導電体５の間の距離を略一定に保つ保持手段９を有していることを特徴とするものである。
【発明の効果】
【００１３】
請求項１の発明によれば、前記第１の導電体と前記第３の端子部との間に第２のキャパシタンス素子を挿入し、前記第２の導電体と前記第４の端子部との間に第３のキャパシタンス素子を挿入し、前記第２および第３のキャパシタンス素子の容量値は略等しくすることで、前記第１の端子部と前記第２の端子部の安定電位に対する電位変動は、大きさが略等しく極性が反対の変動をとる。このため、それぞれの電位変動をお互いに打ち消すことができ、従来例のように空洞内に第２巻回体を設ける必要なく、雑音を低下させることができる効果がある。
また、前記第１の導電体と前記第２の導電体の周囲の絶縁体の厚さは略等しくすることにより、導電体の部位においても、安定電位に対する電位変動のみならず、安定電位に対する浮遊容量成分を略等しくすることができるので、それぞれの導電体に印加された極性が逆で大きさの略等しい電位によって浮遊容量を介して安定電位に流れる電流を打ち消し、本部位によって発生する雑音を低滅することができる効果がある。
また、前記第１の導電体と前記第２の導電体の間の距離を一定に保つ保持手段を有する構成とすることで、前記第１の導電体、誘導コイルを通り、前記第２の導電体を流れる電流ループによって発生する雑音を低減することができる効果がある。
【００１４】
請求項２の発明によれば、請求項１の発明の効果に加えて、前記第１および第２の導電体の近傍に金属体が配設された場合においても、前記第１および第２の導電体の位置関係に配慮することなく、前記第１および第２の導電体を配置することができ、無電極放電灯点灯装置を器具内に配置するときの自由度が高くなる。
請求項３の発明によれば、請求項１、２の発明の効果に加えて、前記第１および第２の導電体にコモンモードで発生する雑音を低減することができる。
請求項４の発明によれば、誘導コイルの温度を低減させる放熱体を設けても、第１および第２の導電体と放熱体との電位差は従来の方式の略半分であるため、それぞれの絶縁耐圧を低減させることができ、絶縁皮膜を薄くするなどの措置をとることができ、導電体が安価になるとともに、空洞内の体積を削減することができる。
【００１５】
請求項５の発明によれば、請求項１〜４の発明の効果に加えて、接続のための導体を削減することができるとともに、前記放熱体と安定電位との接続が確実なものとなり、信頼性の高い無電極放電灯点灯装置を得ることができる。
請求項６の発明によれば、請求項１〜５の効果に加えて、スイッチング素子を４つにすることができ、フルブリッジの構成とすることで、無電極放電灯点灯装置の出力を増大することが可能となる。
請求項７の発明によれば、請求項４〜６の効果に加えて、共振回路の出力部にキャパシタンス素子による高域遮断フィルタを構成することができ、簡易な構成でさらに雑音低減効果の高い無電極放電灯点灯装置を得ることができる。
【００１６】
請求項８の発明によれば、前記第１および第２の導電体の長さの変化に対して安定した無電極放電灯点灯装置の特性を得ることができる。
請求項９の発明によれば、請求項１〜８の効果に加えて、無電極放電灯点灯装置の前記第１および第２の導電体の接続はずれおよび前記誘導コイルの断線などの異常事態を、簡易な付加回路によって検出し、前記第３および第４の端子部ヘ印加する電圧を停止することのできる、安全性の高い無電極放電灯点灯装置を得ることができる。
【発明を実施するための最良の形態】
【００１７】
図１に本発明の基本構成例を示す。この点灯装置は、無電極放電ランプ１の近傍に巻回され第１および第２の端子部２ａ，２ｂを有する誘導コイル２と、高周波でスイッチングされる少なくとも２つのスイッチング素子１３ａ，１３ｂの直列回路１３と、前記スイッチング素子１３ａ，１３ｂの接続点に接続され第３および第４の端子部３ａ，３ｂを有するＬＣ共振回路１９と、前記第１および第３の端子部に接続され周囲を絶縁体４ａで包囲された第１の導電体４と、前記第２および第４の端子部に接続され周囲を絶縁体５ａで包囲された第２の導電体５と、前記ＬＣ共振回路内にて前記第３および第４の端子部に接続される第１のキャパシタンス素子６とを有する無電極放電灯点灯装置であって、前記第１の導電体と前記第３の端子部との間に第２のキャパシタンス素子７を挿入し、前記第２の導電体と前記第４の端子部との間に第３のキャパシタンス素子８を挿入し、前記第２および第３のキャパシタンス素子の容量値は略等しく、前記第１の導電体と前記第２の導電体の周囲の絶縁体の厚さは略等しく、前記第１の導電体と前記第２の導電体の間の距離を略一定に保つ保持手段９を有していることを特徴とする。
【００１８】
図２は前記第１の導電体４と前記第２の導電体５の長さ方向に垂直な方向の断面図である。ここで、前記保持手段９は、前記第１の導電体４の絶縁体４ａと前記第２の導電体５の絶縁体５ａとをその主要部分にわたって結合する手段となっている。前記第１の端子部２ａと前記第２の端子部２ｂの安定電位に対する電位変動は、大きさが略等しく極性が反対の変動をとる。このため、それぞれの電位変動をお互いに打ち消す作用があり、従来例のように空洞内に第２巻回体を設ける必要がなく、雑音を低下することができる。
【００１９】
また、前記第１の導電体４と前記第２の導電体５の周囲の絶縁体４ａ，５ａの厚さを略等しくすることにより、導電体の部位においても、安定電位に対する電位変動のみならず、安定電位に対する浮遊容量成分を略等しくすることができるので、それぞれの導電体に印加された極性が逆で大きさの略等しい電位によって浮遊容量を介して安定電位に流れる電流を打ち消し、本部位において発生する雑音も低減することができる。
【００２０】
また、前記第１の導電体４と前記第２の導電体５の間の距離を略一定に保つ保持手段９を有する構成とすることで、前記第１の導電体４、誘導コイル２を通り、前記第２の導電体５を流れる電流ループによって発生する雑音を低減することができる。
【００２１】
図３は前記第１の導電体４と前記第２の導電体５の長さ方向に垂直な方向の断面図の他の例である。ここでは、前記保持手段９は、前記第１の導電体４の絶縁体４ａと前記第２の導電体５の絶縁体５ｂとをその主要部分にわたって覆っている構造となっている。
【実施例１】
【００２２】
図４に本発明の実施例１の構成を示す。本実施例は請求項２の構成に基づくものであり、第１の導電体４と第２の導電体５は２重らせん状の位置関係を有することを特徴とする。その他の構成については、図１に示した基本構成と同様であるので、重複する説明は省略する。
【００２３】
本実施例の動作を図５により説明する。この図では、第１および第２の導電体の近傍のみを描いてある。本実施例のように、第１の導電体と第２の導電体が２重らせん状の位置関係を有することで、前記第１および第２の導電体の近傍に金属体３０が配設された場合においても、前記金属体に対する第１および第２の導電体の位置関係は、お互いに入れ替わりながら延在することができる。これによって、前記第１および第２の導電体の近傍に金属体が配設された場合においても、前記第１および第２の導電体の位置関係に配慮することなく、前記第１および第２の導電体を配置することができ、無電極放電灯点灯装置を器具内に配置するときの自由度が高くなる。
【実施例２】
【００２４】
図６に本発明の実施例２の構成を示す。本実施例は請求項３の構成に基づくものであり、前記第１および第２の導電体４，５の周囲の絶縁体４ａ，５ａを包囲する第３の導電体１０を設け、前記第３の導電体１０は前記直列回路１３の安定電位へキャパシタンス素子１１を介して接続したことを特徴とする。その他の構成については、図１に示した基本構成と同様であるので、重複する説明は省略する。
【００２５】
本実施例では、第１および第２の導電体４，５の周囲の絶縁体４ａ，５ａを包囲する第３の導電体１０を設け、第３の導電体１０は前記直列回路１３の安定電位へキャパシタンス素子１１を介して接続されているので、前記第１および第２の導電体４，５にコモンモードで発生する雑音を低減することができる。本実施例のように、第１および第２の導電体４，５の安定電位に対する印加電位を極性が逆で大きさの略等しい電位とすると、浮遊容量を介して安定電位に流れる電流はそれぞれ他方の導電体５，４によって打ち消される。したがって、本実施例における第３の導電体１０においては、浮遊容量によって発生する電流はほとんど流れない。従って、浮遊容量による電流が直列回路の安定電位へ帰還するループとはなり得ないので、第３の導電体１０は薄くすることができる。このため、第３の導電体を設けても、小型な無電極放電灯点灯装置を得ることができる。
【実施例３】
【００２６】
図７に本発明の実施例３の構成を示す。本実施例は請求項４の構成に基づくものであり、前記誘導コイル２に巻回された放熱体１２を設け、前記放熱体１２は前記直列回路１３の安定電位へキャパシタンス素子１１を介して接続されたことを特徴とする。その他の構成については、図１に示した基本構成と同様であるので、重複する説明は省略する。
【００２７】
本実施例では、前記誘導コイル２に巻回された放熱体１２を設け、前記放熱体１２は前記直列回路１３の安定電位へキャパシタンス素子１１を介して接続したことで、第１および第２の導電体４，５に印加される電位は安定電位に対して極性が逆で大きさの略等しい電位となるために、安定電位との電位差は、従来の方式の略半分とすることができる。つまり、誘導コイル５の温度を低減させる放熱体を設けても、第１および第２の導電体４，５と放熱体１２との電位差は従来の方式の略半分であるため、それぞれの絶縁耐圧を低減させることができ、絶縁皮膜を薄くするなどの措置をとることができ、導電体が安価になるとともに、空洞内の体積を削減することができる。また、絶縁皮膜が薄くなることによって、前記放熱体１２との間の浮遊容量が増大しても、第１および第２の導電体に印加される電位が安定電位に対して極性が逆で大きさの略等しい電位であるために、雑音は低下したままであり、雑音低減効果に優れた無電極放電灯点灯装置を得ることができる。
【実施例４】
【００２８】
図８に本発明の実施例４の構成を示す。本実施例は請求項５の構成に基づくものであり、前記誘導コイル２に巻回された放熱体１２を設け、前記放熱体１２は前記直列回路１３の安定電位へキャパシタンス素子１１を介して接続され、前記放熱体１２は、前記第３の導電体１０に接続されたことを特徴とする。その他の構成については、図６に示した実施例２と同様であるので、重複する説明は省略する。
【００２９】
これにより、請求項１〜３の効果に加えて、接続のための導体を削減することができるとともに、前記放熱体と安定電位との接続が確実なものとなり、信頼性の高い無電極放電灯点灯装置を得ることができる。
【実施例５】
【００３０】
図９に本発明の実施例５の構成を示す。本実施例は請求項６の構成に基づくものであり、前記第４の端子部３ｂにインダクタンスＬｂを介して２つのスイッチング素子１４ａ，１４ｂからなる第２の直列回路１４に接続したことを特徴とする。スイッチング素子１３ａ，１３ｂの接続点はインダクタンスＬａを介して第３の端子部３ａに接続されている。各直列回路１３，１４には直流電圧が印加され、スイッチング素子１３ａ，１４ｂがＯＮ、スイッチング素子１３ｂ，１４ａがＯＦＦの状態と、スイッチング素子１３ａ，１４ｂがＯＦＦ、スイッチング素子１３ｂ，１４ａがＯＮの状態とが交互に高周波で交番することで、キャパシタンス素子６には高周波電圧が発生する。
【００３１】
本実施例によれば、実施例１〜４の効果に加えて、スイッチング素子を４つにしたことで、フルブリッジの構成とすることができ、無電極放電灯点灯装置の出力を増大することが可能となる。フルブリッジの構成においては、従来の方式では、第２の導電体の電位は高周波で変動するため、安定電位に接続することはできない。もしくは、トランスを用いて前記第１および第２の導電体の電位を変換することにより、第２の導電体の電位を安定電位にすることはできるが、このときはトランスにより、無電極放電灯点灯装置の大型化や、発熱の増大が起こる。本発明の構成をとることで、第２の導電体の電位を安定電位にとらなくても雑音を低減することができるため、フルブリッジ構成において、トランスなどの素子が必要とならず、簡易な構成で小型で雑音低減効果の高い無電極放電灯点灯装置を得ることができる。
【実施例６】
【００３２】
図１０に本発明の実施例６の構成を示す。本実施例は請求項７の構成に基づくものであり、前記第１の導電体４と第２のキャパシタンス素子７との接続点と、前記第２の導電体５と第３のキャパシタンス素子８との接続点との間に、第４のキャパシタンス素子１５を設けたことを特徴とする。その他の構成については、図１に示した基本構成と同様であるので、重複する説明は省略する。
【００３３】
本実施例では、第４のキャパシタンス素子１５を設けたことで、請求項４〜６の効果に加えて、共振回路１９の出力部にキャパシタンス素子１５による高域遮断フィルタを構成することができる。これは、共振回路１９の後段に配された前記第１および第２の導電体４，５がその長さによって有するインダクタンス成分と組み合わされることにより、さらに高域遮断特性が向上する。したがって、簡易な構成でさらに雑音低減効果の高い無電極放電灯点灯装置を得ることができる。
【００３４】
さらに、前記第１または第４のキャパシタンス素子６、１５の容量値は、前記第１の導電体４と前記第２の導電体５の間の１ｍあたりの容量値の２０倍以上の値とする。これは、請求項８の構成に基づく。
【００３５】
無電極放電灯点灯装置の前記第１および第２の導電体４，５の長さは、必要とされる器具の形態によって可変できることが望ましい。しかし、前記したように、この系のＱ値は高く、インダクタンス値・キャパシタンス値のばらつきによって無電極放電灯点灯装置の特性は大きな変動を受ける。このため、前記第１および第２の導電体４，５の長さを変化させると、導電体４，５間の容量値が変化し、無電極放電灯点灯装置の特性が変化することになる。
【００３６】
ここで、本発明のように、前記第１または第４のキャパシタンス素子６，１５の容量値を、前記第１の導電体４と前記第２の導電体５の間の１ｍあたりの容量値の２０倍以上とすることで、前記誘導コイル２と前記共振回路１９を１つの器具に配設した場合において、前記第１および第２の導電体４，５の長さの変化に対して安定した無電極放電灯点灯装置の特性を得ることができる。もちろん、点灯周波数を可変する手段を備えた無電極放電灯点灯装置においては、前記第１および第２の導電体４，５の長さの変化による導体間容量の変化に対して、点灯周波数を変化させることにより影響を吸収できるが、請求項８の構成によれば、この周波数変動の幅を小さくすることができ、発生する雑音の周波数範囲を規制することができるため、フィルタ回路などの雑音低減の手段を簡易化することができる。
【実施例７】
【００３７】
図１１に本発明の実施例７の構成を示す。本実施例は請求項９の構成に基づくものであり、前記第１の導電体４と第２のキャパシタンス素子７との接続点に、直流電圧印加手段１６を設けるとともに、前記第２の導電体５と第３のキャパシタンス素子８との接続点に直流電圧検出手段１７を設け、さらに、前記直流電圧検出手段１７の出力に応じて前記第３および第４の端子部３ａ，３ｂへ印加する高周波電圧を停止させる出力停止手段１８を設けたことを特徴とする。ここでは、出力停止手段１８は前記第１および第２のスイッチング素子１３ａ，１３ｂの動作を停止させる手段とする。図中、２０はスイッチング素子１３ａ，１３ｂを交互にオン・オフさせる駆動回路であり、スイッチング素子１３ａがＯＮ、スイッチング素子１３ｂがＯＦＦの状態と、スイッチング素子１３ａがＯＦＦ、スイッチング素子１３ｂがＯＮの状態とを交互に高周波で交番させることにより、キャパシタンス素子６の両端に高周波電圧を発生せしめる。第１の導電体４、誘導コイル２、第２の導電体５に断線や配線のはずれが無いときには、直流電圧印加手段１６により印加された直流電圧が、直流電圧検出手段１７により検出されるから、出力停止手段１８は負荷回路が正常と判定し、前記第３および第４の端子部３ａ，３ｂへ印加する高周波電圧は停止させない。一方、第１の導電体４、誘導コイル２、第２の導電体５に断線や配線のはずれが有るときは、直流電圧印加手段１６により印加された直流電圧は、直流電圧検出手段１７により検出されないから、出力停止手段１８は負荷回路が異常と判定し、前記第３および第４の端子部３ａ，３ｂへ印加する高周波電圧を停止させる。具体的には、出力停止手段１８から駆動回路２０に停止信号を送り、スイッチング素子１３ａ，１３ｂを共にＯＦＦ状態とする。また、チョッパ回路２２の制御回路２１にも停止信号を送り、コンデンサＣ１の直流電圧が異常昇圧することを防止する。なお、チョッパ回路２２は商用交流電源Ｖｓから整流ブリッジＤＢを介して入力された脈流電圧を平滑な直流電圧に変換するスイッチング回路であり、その動作については周知であるので、説明を省略する。
【００３８】
本実施例によれば、無電極放電灯点灯装置の前記第１および第２の導電体４，５の接続はずれおよび前記誘導コイル２の断線などの異常事態を、簡易な付加回路によって検出し、前記第３および第４の端子部３ａ，３ｂへ印加する高周波電圧を停止させることのできる、安全性の高い無電極放電灯点灯装置を得ることができる。
【００３９】
なお、上記基本構成又は各実施例に記載の無電極放電灯点灯装置は、例えば、図１４に示すような照明装置として利用することができる。無電極放電ランプ１は一般的に数十ＭＨｚの高周波で駆動されるので、ランプからの輻射ノイズを吸収するために金属メッシュ等のシールドカバー２５で覆われている。２３は誘導コイル２を支える基台であり、２４は点灯回路である。
【産業上の利用可能性】
【００４０】
本発明は、高効率でランプ交換頻度の少ない長寿命の照明装置として、例えば、屋外や高所の照明装置に利用することができる。
【図面の簡単な説明】
【００４１】
【図１】本発明の基本構成を示す回路図である。
【図２】本発明に用いる保持手段の一例を示す断面図である。
【図３】本発明に用いる保持手段の他の一例を示す断面図である。
【図４】本発明の実施例１の構成を示す回路図である。
【図５】本発明の実施例１の動作説明図である。
【図６】本発明の実施例２の構成を示す回路図である。
【図７】本発明の実施例３の構成を示す回路図である。
【図８】本発明の実施例４の構成を示す回路図である。
【図９】本発明の実施例５の構成を示す回路図である。
【図１０】本発明の実施例６の構成を示す回路図である。
【図１１】本発明の実施例７の構成を示す回路図である。
【図１２】従来の無電極放電灯点灯装置を示す断面図である。
【図１３】従来の無電極放電灯点灯装置の等価回路図である。
【図１４】本発明の無電極放電灯点灯装置を用いた照明装置の構造の一例を示す断面図である。
【符号の説明】
【００４２】
１      無電極放電ランプ
２      誘導コイル
２ａ    第１の端子部
２ｂ    第２の端子部
３ａ    第３の端子部
３ｂ    第４の端子部
４      第１の導電体
４ａ    絶縁体
５      第２の導電体
５ａ    絶縁体
６      第１のキャパシタンス素子
７      第２のキャパシタンス素子
８      第３のキャパシタンス素子
９      保持手段
１３ａ  第１のスイッチング素子
１３ｂ  第２のスイッチング素子
１９    ＬＣ共振回路
【図１】
2005122990.tif 000003
【図２】
2005122990.tif 000004
【図３】
2005122990.tif 000005
【図４】
2005122990.tif 000006
【図５】
2005122990.tif 000007
【図６】
2005122990.tif 000008
【図７】
2005122990.tif 000009
【図８】
2005122990.tif 000010
【図９】
2005122990.tif 000011
【図１０】
2005122990.tif 000012
【図１１】
2005122990.tif 000013
【図１２】
2005122990.tif 000014
【図１３】
2005122990.tif 000015
【図１４】
2005122990.tif 000016